(57)【要約】【課題】利用者が一度も行ったことがない店舗に行く動機付けとなりうる特典付与システム及び特典付与サーバを提供する。【解決手段】定期乗車区間及び降車駅の情報である乗車情報を記憶するＩＣカード３と、サービスを提供する店舗に設置されＩＣカード３との間で通信を行って乗車情報を読み取るＲ／Ｗ部５２を有する店舗端末５とを備え、店舗でサービスの提供を受けたＩＣカード３を携行する利用者Ｐに対して特典を付与する特典付与システム１００は、読み取られた乗車情報に含まれる降車駅が店舗端末５の設置された店舗の最寄り駅に合致し、かつ、降車駅が定期乗車区間を外れる場合に、所定の乗り越し条件を満たすか否かを判断する乗り越し条件部１５と、所定の乗り越し条件を満たした場合に、所定の購買条件を満たすか否かを判断する購買条件部１６と、所定の購買条件を満たした場合に、利用者Ｐに対して所定の特典を付与する特典付与部１７とを備える。【選択図】図１
2013149017.tif 000002
【特許請求の範囲】
【請求項１】
定期乗車情報を有する定期乗車媒体と、サービスを提供する店舗に設置されたリーダライタ部を有する店舗端末と、を備え、前記店舗にてサービスの提供を受けた前記定期乗車媒体を携行する利用者に対して特典を付与する特典付与システムであって、
前記定期乗車媒体は、定期乗車区間及び降車駅の情報である乗車情報を記憶しており、
前記店舗端末の前記リーダライタ部は、前記定期乗車媒体との間で通信を行って前記乗車情報を読み取り、
読み取られた前記乗車情報に含まれる前記降車駅が前記店舗端末の設置された前記店舗の最寄り駅に合致し、かつ、前記降車駅が前記定期乗車区間を外れる場合に、所定の乗り越し条件を満たすか否かを判断する乗り越し条件部と、
前記乗り越し条件部による前記所定の乗り越し条件を満たした場合に、所定の購買条件を満たすか否かを判断する購買条件部と、
前記購買条件部による前記所定の購買条件を満たした場合に、前記利用者に対して所定の特典を付与する特典付与部と、
を備える特典付与システム。
【請求項２】
請求項１に記載の特典付与システムであって、
前記特典付与部が付与する前記所定の特典は、前記定期乗車区間を外れて降車駅に至るまでの乗車運賃の少なくとも一部であること、
を特徴とする特典付与システム。
【請求項３】
請求項１又は請求項２に記載の特典付与システムであって、
前記乗り越し条件部の前記所定の乗り越し条件は、前記降車駅が、前記定期乗車区間の経路に前記定期乗車区間の範囲内で接続する異なる路線の降車駅であること、
を特徴とする特典付与システム。
【請求項４】
請求項１から請求項３までのいずれかに記載の特典付与システムであって、
前記利用者の交通手段における出入りを管理するゲートを備え、
前記ゲートは、前記利用者が前記降車駅に設置されたそのゲートを通過した日時及び前記降車駅を、前記定期乗車媒体に記憶させるゲートリーダライタ部を備え、
前記特典付与部は、前記定期乗車媒体の前記乗車情報に基づいて前記日時が現在日時から所定の時間以内である場合に、前記所定の特典を付与すること、
を特徴とする特典付与システム。
【請求項５】
請求項１から請求項４までのいずれかに記載の特典付与システムであって、
前記定期乗車媒体は、さらに前記利用者を特定可能な利用者特定情報を記憶しており、
前記利用者が前記店舗に対して利用予約をすることで、前記利用者特定情報及び利用予約情報を受け付ける予約受付部と、
前記予約受付部により受け付けられた前記利用予約情報に前記利用者特定情報を対応付けて記憶する予約記憶部と、
前記店舗端末の前記リーダライタ部により読み取られた前記利用者特定情報に基づいて、前記予約記憶部に記憶された情報を照合して、前記利用者による利用予約がされているか否かを確認する予約確認部と、
を備え、
前記乗り越し条件部は、前記予約確認部によって利用予約がされていることが確認された場合に、前記所定の乗り越し条件を満たすか否かを判断すること、
を特徴とする特典付与システム。
【請求項６】
請求項１から請求項５までのいずれかに記載の特典付与システムであって、
前記利用者を特定可能な利用者特定情報及び前記利用者の前記定期乗車区間を会員情報として記憶する会員情報記憶部と、
前記店舗を特定する店舗特定情報と、前記所定の乗り越し条件と、前記所定の購買条件及び特典内容を含む特典付与条件とを記憶する店舗情報記憶部と、
前記会員情報記憶部に記憶された前記定期乗車区間が前記店舗情報記憶部に記憶された前記所定の乗り越し条件を満たす場合に、前記利用者に対して前記特典付与条件を提供する特典情報提供部と、
を備えること、
を特徴とする特典付与システム。
【請求項７】
請求項１から請求項６までのいずれかに記載の特典付与システムであって、
前記特典付与部は、予め定められ前記最寄り駅が同じである複数の前記店舗の各々において、前記購買条件部による前記所定の購買条件を満たした場合に、前記所定の特典を付与すること、
を特徴とする特典付与システム。
【請求項８】
請求項１から請求項７までのいずれかに記載の特典付与システムであって、
前記店舗端末に対して通信ネットワークを介して接続された特典付与サーバを備え、
前記店舗端末は、前記リーダライタ部により読み取られた前記乗車情報を、前記特典付与サーバに送信し、
前記特典付与サーバは、前記乗り越し条件部と、前記購買条件部とを備えること、
を特徴とする特典付与システム。
【請求項９】
サービスを提供する店舗に設置されたリーダライタ部を有する店舗端末に対して通信ネットワークを介して接続され、前記店舗にてサービスの提供を受けた定期乗車媒体を携行する利用者に対して特典を付与する特典付与サーバであって、
定期乗車情報を有する前記定期乗車媒体が前記リーダライタ部と通信することで読み取られた、前記定期乗車媒体が記憶している定期乗車区間及び降車駅の情報である乗車情報を前記店舗端末から受信する乗車情報受信部と、
前記乗車情報に含まれる前記降車駅が前記店舗端末の設置された前記店舗の最寄り駅に合致し、かつ、前記降車駅が前記定期乗車区間を外れる場合に、所定の乗り越し条件を満たすか否かを判断する乗り越し条件部と、
前記乗り越し条件部による前記所定の乗り越し条件を満たした場合に、所定の購買条件を満たすか否かを判断する購買条件部と、
前記購買条件部による前記所定の購買条件を満たした場合に、前記利用者に対して前記定期乗車区間を外れて降車駅に至るまでの乗車運賃の少なくとも一部に関する所定の特典を付与する特典付与部と、
を備える特典付与サーバ。
【発明の詳細な説明】
【技術分野】
【０００１】
本発明は、特典付与システム及び特典付与サーバに関する。
【背景技術】
【０００２】
従来、登録された利用者が携帯する端末に対してサービス企画情報を配信し、クーポン発行要求のあった端末に対してクーポンを発行するクーポン情報提供システムが提案されている（例えば、特許文献１）。
【先行技術文献】
【特許文献】
【０００３】
【特許文献１】特開２００７−３０４９７９号公報
【発明の概要】
【発明が解決しようとする課題】
【０００４】
一般的に、クーポンを利用することで、一度も行ったことがない店舗に利用者が行く動機付けとなりうる一面がある。しかし、その店舗が利用者の行動範囲から離れた場所に立地されている場合には、利用者は、クーポンを使ってまでその店舗に行くか否かは、クーポンの内容に依るところが大きい。一方、特許文献１に記載のシステムでは、店舗に一度訪れて顧客情報を登録することで、サービス企画情報を配信するものであった。つまり、特許文献１に記載のシステムを使用しても、一度も行ったことがない店舗からは、サービス企画情報が配信されるものではなかった。
【０００５】
そこで、本発明は、利用者が一度も行ったことがない店舗に行く動機付けとなりうる特典付与システム及び特典付与サーバを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、定期乗車情報を有する定期乗車媒体（３）と、サービスを提供する店舗に設置されたリーダライタ部（５２）を有する店舗端末（５）と、を備え、前記店舗にてサービスの提供を受けた前記定期乗車媒体を携行する利用者（Ｐ）に対して特典を付与する特典付与システム（１００）であって、前記定期乗車媒体は、定期乗車区間及び降車駅の情報である乗車情報を記憶しており、前記店舗端末の前記リーダライタ部は、前記定期乗車媒体との間で通信を行って前記乗車情報を読み取り、読み取られた前記乗車情報に含まれる前記降車駅が前記店舗端末の設置された前記店舗の最寄り駅に合致し、かつ、前記降車駅が前記定期乗車区間を外れる場合に、所定の乗り越し条件を満たすか否かを判断する乗り越し条件部（１５）と、前記乗り越し条件部による前記所定の乗り越し条件を満たした場合に、所定の購買条件を満たすか否かを判断する購買条件部（１６）と、前記購買条件部による前記所定の購買条件を満たした場合に、前記利用者に対して所定の特典を付与する特典付与部（１７）と、を備える特典付与システムである。
第２の発明は、第１の発明の特典付与システム（１００）であって、前記特典付与部（１７）が付与する前記所定の特典は、前記定期乗車区間を外れて降車駅に至るまでの乗車運賃の少なくとも一部であること、を特徴とする特典付与システムである。
第３の発明は、第１の発明又は第２の発明の特典付与システム（１００）であって、前記乗り越し条件部（１５）の前記所定の乗り越し条件は、前記降車駅が、前記定期乗車区間の経路に前記定期乗車区間の範囲内で接続する異なる路線の降車駅であること、を特徴とする特典付与システムである。
第４の発明は、第１の発明から第３の発明までのいずれかの特典付与システム（１００）であって、前記利用者（Ｐ）の前記交通手段における出入りを管理するゲート（７）を備え、前記ゲートは、前記利用者が前記降車駅に設置されたそのゲートを通過した日時及び前記降車駅を、前記定期乗車媒体（３）に記憶させるゲートリーダライタ部（７２）を備え、前記特典付与部（１７）は、前記定期乗車媒体の前記乗車情報に基づいて前記日時が現在日時から所定の時間以内である場合に、前記所定の特典を付与すること、を特徴とする特典付与システムである。
第５の発明は、第１の発明から第４の発明までのいずれかの特典付与システム（１００）であって、前記定期乗車媒体（３）は、さらに前記利用者を特定可能な利用者特定情報を記憶しており、前記利用者（Ｐ）が前記店舗に対して利用予約をすることで、前記利用者特定情報及び利用予約情報を受け付ける予約受付部（１２）と、前記予約受付部により受け付けられた前記利用予約情報に前記利用者特定情報を対応付けて記憶する予約記憶部（２７）と、前記店舗端末（５）の前記リーダライタ部（５２）により読み取られた前記利用者特定情報に基づいて、前記予約記憶部に記憶された情報を照合して、前記利用者による利用予約がされているか否かを確認する予約確認部（１３）と、を備え、前記乗り越し条件部（１５）は、前記予約確認部によって利用予約がされていることが確認された場合に、前記所定の乗り越し条件を満たすか否かを判断すること、を特徴とする特典付与システムである。
第６の発明は、第１の発明から第５の発明までのいずれかの特典付与システム（１００）であって、前記利用者（Ｐ）を特定可能な利用者特定情報及び前記利用者の前記定期乗車区間を会員情報として記憶する会員情報記憶部（２１）と、前記店舗を特定する店舗特定情報と、前記所定の乗り越し条件と、前記所定の購買条件及び特典内容を含む特典付与条件とを記憶する店舗情報記憶部（２５）と、前記会員情報記憶部に記憶された前記定期乗車区間が前記店舗情報記憶部に記憶された前記所定の乗り越し条件を満たす場合に、前記利用者に対して前記特典付与条件を提供する特典情報提供部（１１）と、を備えること、を特徴とする特典付与システムである。
第７の発明は、第１の発明から第６の発明までのいずれかの特典付与システムであって、前記特典付与部は、予め定められ前記最寄り駅が同じである複数の前記店舗の各々において、前記購買条件部による前記所定の購買条件を満たした場合に、前記所定の特典を付与すること、を特徴とする特典付与システムである。
第８の発明は、第１の発明から第７の発明までのいずれかの特典付与システム（１００）であって、前記店舗端末（５）に対して通信ネットワーク（Ｎ）を介して接続された特典付与サーバ（１）を備え、前記店舗端末は、前記リーダライタ部（５２）により読み取られた前記乗車情報を、前記特典付与サーバに送信し、前記特典付与サーバは、前記乗り越し条件部（１５）と、前記購買条件部（１６）とを備えること、を特徴とする特典付与システムである。
【０００８】
第９の発明は、サービスを提供する店舗に設置されたリーダライタ部（５２）を有する店舗端末（５）に対して通信ネットワーク（Ｎ）を介して接続され、前記店舗にてサービスの提供を受けた定期乗車媒体（３）を携行する利用者（Ｐ）に対して特典を付与する特典付与サーバ（１）であって、定期乗車情報を有する前記定期乗車媒体が前記リーダライタ部と通信することで読み取られた、前記定期乗車媒体が記憶している定期乗車区間及び降車駅の情報である乗車情報を前記店舗端末から受信する乗車情報受信部（１０）と、前記乗車情報に含まれる前記降車駅が前記店舗端末の設置された前記店舗の最寄り駅に合致し、かつ、前記降車駅が前記定期乗車区間を外れる場合に、所定の乗り越し条件を満たすか否かを判断する乗り越し条件部（１５）と、前記乗り越し条件部による前記所定の乗り越し条件を満たした場合に、所定の購買条件を満たすか否かを判断する購買条件部（１６）と、前記購買条件部による前記所定の購買条件を満たした場合に、前記利用者に対して前記定期乗車区間を外れて降車駅に至るまでの乗車運賃の少なくとも一部に関する所定の特典を付与する特典付与部（１７）と、を備える特典付与サーバである。
【発明の効果】
【０００９】
本発明によれば、利用者が一度も行ったことがない店舗に行く動機付けとなりうる特典付与システム及び特典付与サーバを提供することができる。
【図面の簡単な説明】
【００１０】
【図１】本実施形態に係る特典付与システムの全体構成及び機能構成を示す図である。
【図２】本実施形態に係る特典付与システムでの処理の概要を説明するための図である。
【図３】本実施形態に係る会員情報記憶部の例を示す図である。
【図４】本実施形態に係る店舗情報記憶部の例を示す図である。
【図５】本実施形態に係る予約記憶部の例を示す図である。
【図６】本実施形態に係る路線図と店舗との位置関係を示す図である。
【図７】本実施形態に係る会員情報登録処理のフローチャートである。
【図８】本実施形態に係る店舗情報登録処理のフローチャートである。
【図９】本実施形態に係るクーポン発行処理のフローチャートである。
【図１０】本実施形態に係る改札ゲート処理のフローチャートである。
【図１１】本実施形態に係る店舗での処理のフローチャートである。
【図１２】図１１の続きである。
【発明を実施するための形態】
【００１１】
以下、本発明を実施するための形態について、図を参照しながら説明する。なお、これは、あくまでも一例であって、本発明の技術的範囲はこれに限られるものではない。
【００１２】
（実施形態）
図１は、本実施形態に係る特典付与システム１００の全体構成及び機能構成を示す図である。
特典付与システム１００は、サーバ１（特典付与サーバ）と、ＩＣ（Ｉｎｔｅｇｒａｔｅｄ  Ｃｉｒｃｕｉｔ）カード３（定期乗車媒体）と、ＰＣ（パーソナルコンピュータ）４と、店舗端末５と、改札ゲート７とを備えている。サーバ１と、ＰＣ４と、店舗端末５とは、通信ネットワークＮを介して通信可能に接続されている。
【００１３】
サーバ１は、会員サービスを提供する。サーバ１は、店舗会員サービスに登録する店舗が利用者会員に付与する特典に関する情報を、クーポンとして利用者登録をした利用者Ｐ（図２参照）に対して提供する。また、サーバ１は、利用者Ｐから特典を付与する店舗への予約情報を受け付け、実際に利用者Ｐが店舗に行き、所定の条件を満たした場合に、利用者Ｐに対して特典を付与する。
サーバ１は、制御部１０と、記憶部２０と、通信のためのＩ／Ｆ（インタフェース）部２８とを備える。
【００１４】
制御部１０は、サーバ１の全体を制御するＣＰＵ（中央処理装置）である。制御部１０は、記憶部２０に記憶されているオペレーティングシステム（ＯＳ）やアプリケーションプログラムを適宜読み出して実行することにより、上述したハードウェアと協働し、本発明に係る各種機能を実現している。
【００１５】
制御部１０は、情報提供部１１と、予約受付部１２と、予約確認部１３と、乗り越し条件部１５と、購買条件部１６と、特典付与部１７とを備える。
情報提供部１１は、利用者登録をした利用者Ｐに対して、店舗ごとに利用者会員に対して付与する特典に関する情報を提供する。利用者登録は、例えば、利用者ＰがＰＣ４を操作して、ＰＣ４から通信ネットワークＮを介してサーバ１と通信することで、Ｗｅｂサービスを利用して行うことができる。そして、情報提供部１１は、例えば、ＰＣ４を介して利用者ＰがＷｅｂサービスを利用するためにログインすることで、その利用者Ｐのページに特典に関する情報を出力する。
【００１６】
予約受付部１２は、例えば、情報提供部１１が利用者Ｐに対して行った情報提供によって、利用者Ｐが店舗の予約をした場合に、その情報（予約情報）を受け付ける。利用者Ｐが店舗に電話やメール等の通信手段を用いて予約をし、店舗等のクーポン提供者の従業員等の操作者Ｓが店舗端末５を介して予約情報を送信することで、予約受付部１２が予約を受け付けてもよい。または、利用者ＰがＰＣ４から予約情報を入力することで、ＰＣ４からサーバ１に予約情報が送信され、サーバ１の予約受付部１２が予約情報を受け付けて、店舗端末５に対してその予約情報を送信してもよい。利用者Ｐ及び操作者Ｓが共に同じ予約情報を知ることができ、サーバ１にその情報を記憶することができれば、実現可能な、どのような方法を用いてもよい。
【００１７】
予約確認部１３は、利用者Ｐによるその店舗に対する予約がされているか否かを確認する。具体的には、利用者Ｐが予約した店舗に実際に行き、利用者Ｐが所有するＩＣカード３を店舗端末５のＲ／Ｗ（リーダライタ）部５２（後述する）に読み取らせることで、ＩＣカード３に記憶された利用者Ｐの氏名等の利用者Ｐに関する情報がサーバ１に送信される。そして、制御部１０が利用者Ｐに関する情報を受け付け、予約記憶部２７（図５参照）と照合することで、予約確認部１３は、利用者Ｐによってその店舗に対する予約がされているか否かを確認する。
【００１８】
乗り越し条件部１５は、利用者Ｐが店舗に到着するまでの利用者Ｐの移動に関して、予め店舗によって定めた乗り越しの条件に合致するか否かを判断する。
購買条件部１６は、乗り越し条件部１５の乗り越し条件を満たした場合に、利用者Ｐによる店舗での物品の購買や飲食等が、予め店舗によって定めた条件に合致するか否かを判断する。
特典付与部１７は、購買条件部１６の購買条件を満たした場合に、利用者Ｐに対して特典を付与する。
【００１９】
記憶部２０は、制御部１０を実行するために必要なプログラム、情報等を記憶するためのハードディスク、半導体メモリ素子等の記憶領域である。記憶部２０は、会員情報記憶部２１と、店舗情報記憶部２５と、予約記憶部２７とを備える。
【００２０】
会員情報記憶部２１は、利用者登録した利用者Ｐの定期乗車区間や定期有効期限等の定期乗車情報等を記憶する（図３参照）。
店舗情報記憶部２５は、店舗の属性に関する情報である店舗属性情報記憶部２３と、店舗での特典付与条件の情報である特典情報記憶部２４とを記憶する（図４参照）。店舗属性情報記憶部２３は、店舗名と、店舗を一意に示す店舗ＩＤ（Ｉｄｅｎｔｉｆｉｅｒ）と、その店舗の最寄り駅とを記憶する。特典情報記憶部２４は、特典情報を一意に示すクーポンＩＤをキーにして、店舗ＩＤと、乗り越し条件と、購買条件と、クーポンの特典情報等とを記憶する。
予約記憶部２７は、予約受付部１２により受け付けた予約情報を記憶する（図５参照）。
Ｉ／Ｆ部２８は、通信ネットワークＮを介してＰＣ４や店舗端末５との間で通信を行うためのインタフェースである。
【００２１】
ＩＣカード３は、例えば、鉄道やバス等の、公共交通機関（交通手段）を利用する際に用いる定期乗車情報入りの乗車カードである。また、ＩＣカード３は、運賃等をチャージ可能なプリペイドカード式の乗車カードである。さらに、ＩＣカード３は、決済口座情報を有する。ＩＣカード３は、電車等の乗車時及び降車時に利用者Ｐによって携行されて、ＩＣカード３を改札ゲート７のＲ／Ｗ部７２（後述する）にかざす（タッチする）ことで、改札ゲート７との間で例えば磁界を利用して通信を行う。また、ＩＣカード３を店舗端末５のＲ／Ｗ部５２にかざすことで、店舗端末５との間で例えば磁界を利用して通信を行う。
ＩＣカード３は、カード制御部３０と、カード記憶部３５と、Ｉ／Ｆ部３８とを備える。
【００２２】
カード制御部３０は、カード記憶部３５に記憶されているＯＳやアプリケーションプログラムに従って各種の処理を実行するＣＰＵである。
カード記憶部３５は、カード制御部３０が各種の処理を実行する上において必要なプログラムやデータ等を適宜記憶するようになされている。カード記憶部３５は、定期情報記憶部３５ａを有する。定期情報記憶部３５ａは、定期乗車区間（経由を含む）、定期有効期限、利用者名、年齢、性別等の定期乗車情報を記憶する。また、カード記憶部３５は、その他に、乗車駅名及び入時刻、降車駅名及び出時刻等の最新の乗車に関する情報を記憶する。さらに、カード記憶部３５は、カードＩＤ等のカードを特定する情報や、チャージ額、決済口座情報等を記憶する。
【００２３】
Ｉ／Ｆ部３８は、例えば、改札ゲート７のＲ／Ｗ部７２を介して、定期情報記憶部３５ａに記憶されている定期乗車情報や記憶領域のチャージ額を改札ゲート７に対して出力したり、改札ゲート７からカード記憶部３５に記憶させる最新の乗車情報を入力したりするインタフェースである。また、Ｉ／Ｆ部３８は、店舗端末５のＲ／Ｗ部５２を介してカード記憶部３５に記憶されている定期乗車区間や最新の乗車情報を出力したりするインタフェースである。
【００２４】
ＰＣ４は、一般的なパーソナルコンピュータであってよく、表示部、操作部、制御部、記憶部、通信のためのＩ／Ｆ部を備えた装置である。ＰＣ４は、例えば、利用者Ｐが利用する端末であって、Ｗｅｂブラウザがインストールされており、Ｗｅｂサービスが利用できるものであることが望ましい。ＰＣ４は、例えば、利用者Ｐが利用者登録をする際に用いる。ＰＣ４は、例えば、磁界を利用してＩＣカード３との間で通信可能なＲ／Ｗ部４２を備える。そして、ＰＣ４は、Ｒ／Ｗ部４２を介して、利用者ＰのＩＣカード３から、利用者Ｐの氏名、年齢、性別等の属性情報や定期乗車区間、定期有効期限等の定期情報を読み取って、読み取ったこれらの情報を用いて利用者登録をすることができる。
【００２５】
店舗端末５は、各店舗に配置された端末である。店舗端末５は、制御部５０と、Ｒ／Ｗ部５２と、記憶部５５と、Ｉ／Ｆ部５８とを備える。店舗端末５は、操作者Ｓが利用する端末であって、Ｗｅｂブラウザがインストールされており、Ｗｅｂサービスが利用できるものであることが望ましい。店舗端末５は、レジ端末と一体となった端末であってもよい。
制御部５０は、記憶部５５に記憶されているＯＳやアプリケーションプログラムに従って各種の処理を実行するＣＰＵである。
【００２６】
Ｒ／Ｗ部５２は、ＩＣカード３とのインタフェースを行う。Ｒ／Ｗ部５２は、例えば、利用者Ｐが店舗でサービスの提供を受けた後に、サービスに対する対価を支払う際に、ＩＣカード３との間で通信を行う。
記憶部５５は、制御部５０が各種の処理を実行する上において必要なプログラムやデータ等を適宜記憶するようになされている。
Ｉ／Ｆ部５８は、通信ネットワークＮを介してサーバ１との間で通信するためのインタフェースである。
【００２７】
改札ゲート７は、鉄道の各駅の改札に設けられて、利用者Ｐの入場及び退場と、乗車運賃の管理とを行うゲート型の装置である。改札ゲート７は、ゲート制御部７０と、Ｒ／Ｗ部７２と、ゲート記憶部７５とを備える。
ゲート制御部７０は、ゲート記憶部７５に記憶されているＯＳやアプリケーションプログラムに従ってゲートの開閉等の各種のゲートの処理を実行するＣＰＵである。また、ゲート制御部７０は、現在の日時を取得する日時取得機能を備える。日時取得機能は、ゲート制御部７０が時計を有することで実現してもよいし、標準電波の送信局から送信される原子時計による日付・時刻情報のデジタル信号を受信することで実現してもよい。
【００２８】
Ｒ／Ｗ部７２は、ＩＣカード３とのインタフェースを行う。Ｒ／Ｗ部７２は、利用者Ｐの改札ゲート７への入場時及び退場時に、ＩＣカード３との間で通信を行う。
例えば、ＩＣカード３のカード記憶部３５に記憶された定期乗車区間内の駅で入場し、定期乗車区間を越えて、つまり乗り越して退場した場合を考える。この場合、乗車駅に設置された改札ゲート７のＲ／Ｗ部７２は、ＩＣカード３に対して乗車駅名及び日時を出力する。また、降車駅に設置された改札ゲート７のＲ／Ｗ部７２は、ＩＣカード３に記憶されている乗車駅名と定期乗車区間とをチェックのうえ、予め記憶されているチャージから乗り越し分の料金を減額し、ＩＣカード３に対して降車駅名及び日時を出力する。これにより、ＩＣカード３は、出力されたそれらの情報をカード記憶部３５に書き込むことができる。
ゲート記憶部７５は、ゲート制御部７０が各種の処理を実行する上において必要なプログラムやデータ等を適宜記憶するようになされている。ゲート記憶部７５は、改札ゲート７が設置されている駅名を記憶している。
【００２９】
通信ネットワークＮは、例えば、サーバ１とＰＣ４との間及びサーバ１と店舗端末５との間をつなぐインターネット回線である。通信ネットワークＮは、その一部が無線通信をするものであってもよい。
【００３０】
次に、特典付与システム１００の処理の概要について説明する。図２は、本実施形態に係る特典付与システム１００での処理の概要を説明するための図である。図３は、本実施形態に係る会員情報記憶部２１の例を示す図である。図４は、本実施形態に係る店舗情報記憶部２５の例を示す図である。図５は、本実施形態に係る予約記憶部２７の例を示す図である。
【００３１】
１．事前登録
（１）利用者登録
利用者Ｐは、図２（１）の左に示すように、ＰＣ４を用いてＷｅｂサービスを利用等することでサーバ１に対して通信し、利用者登録をする。利用者Ｐは、利用者情報として必要な、ユーザ名、ＩＣカード３のカードＩＤ、年齢、性別、定期乗車区間（経由を含む）、定期有効期限、決済口座番号の各項目のユーザ情報をＰＣ４から入力する。なお、必須の項目は、ユーザ名、カードＩＤ、定期乗車区間及び定期有効期限の情報である。そうすることで、サーバ１は、ユーザを一意に表すユーザＩＤを付与して、図３に示す会員情報記憶部２１にそれらの情報を記憶させる。なお、ユーザ情報は、ＰＣ４のＲ／Ｗ部４２に、ＩＣカード３を読み取らせることでも取得できる。
【００３２】
（２）店舗登録
操作者Ｓは、図２（１）の右に示すように、店舗端末５を用いてＷｅｂサービスを利用することでサーバ１に対して通信し、店舗登録をする。操作者Ｓは、店舗情報として、店舗名、最寄り駅等を店舗端末５から入力する。そうすることで、サーバ１は、店舗を一意に表す店舗ＩＤを付与して、図４に示す店舗情報記憶部２５の店舗属性情報記憶部２３にそれらの情報を記憶させる。
また、操作者Ｓは、店舗端末５を用いてＷｅｂサービスを利用等することでサーバ１に対して通信し、特典を付与するクーポンを登録する。操作者Ｓは、降車駅の乗り越し条件、購買条件、クーポン有効期限、クーポン有効時間、クーポン特典の各項目のクーポン情報を店舗端末５から入力する。ここで、クーポン有効時間とは、降車駅の改札ゲート７を通過した日時から特典を付与するまでの最大の時間である。また、クーポン特典は、交通費に関する特典を含む。そうすることで、サーバ１は、クーポンを一意に表すクーポンＩＤを付与して、図４に示す店舗情報記憶部２５の特典情報記憶部２４に、その店舗の店舗ＩＤに対応付けてそれらの情報を記憶させる。
【００３３】
（３）クーポン情報の提供
サーバ１は、会員情報記憶部２１に記憶された利用者の定期有効期限が特典情報記憶部２４のクーポン有効期限より後の日にちに設定されている場合、つまり、クーポンの有効期限まで定期有効期限が残存している場合であって、会員情報記憶部２１に記憶された定期乗車区間が特典情報記憶部２４の降車駅の乗り越し条件を満たす場合に、利用者Ｐに対して対応するクーポン情報を提供するクーポン提供処理を行う。
クーポン情報の提供方法は、利用者Ｐが会員サービスを利用するにあたってログインした際に、クーポン情報をトップページに表示するようにしてもよいし、利用者登録の際にメールアドレスを追加登録して、メールを送信することで、クーポン情報を提供してもよい。また、提供のタイミングは、操作者Ｓが決定して、上述のクーポン提供処理を行ってもよいし、サーバ１が定期的に行ってもよい。
【００３４】
２．予約
利用者Ｐは、サーバ１から提供されたクーポン情報を参照し、行く店舗を決めて予約をする。予約は、図２（２）に示すように、利用者Ｐが店舗に直接電話やメールをすることで行う。予約には、利用者Ｐの氏名等の利用者Ｐを特定できるものがあればいい。店舗では、予約を受け付けると、店舗端末５から予約情報を入力して、サーバ１に送信する。また、サーバ１は、ＰＣ４や店舗端末５に対して予約処理を行う手段を提供してもよい。予約情報は、図５に示すように予約記憶部２７に記憶される。
【００３５】
３．降車
利用者Ｐは、予約当日にＩＣカード３の定期乗車区間を含む電車等の交通手段を利用して、予約した店舗に向かう。利用者ＰがＩＣカード３を携行して降車駅の改札ゲート７を通過する際、利用者Ｐは、ＩＣカード３を改札ゲート７のＲ／Ｗ部７２にかざす。そうすることで、改札ゲート７のＲ／Ｗ部７２は、ＩＣカード３の定期乗車区間やチャージ額を読み取る。ゲート制御部７０は、定期乗車区間を外れた分の交通費（乗り越し料金）をチャージ残高から減額し、最新のチャージ残高を算出する。そして、Ｒ／Ｗ部７２は、最新のチャージ残高を出力してＩＣカード３に書き込む。また、改札ゲート７のＲ／Ｗ部７２は、ＩＣカード３の乗車情報に、降車駅名と、降車日時と出力してＩＣカード３に書き込む。そして、改札ゲート７は、利用者Ｐが改札を通過できるようにゲートを開ける。
【００３６】
図２（３）は、利用者Ｐが１７：５０にＥ駅の改札ゲート７を通過した態様を示す。利用者Ｐが改札ゲート７を通過することで、ＩＣカード３には、通過した改札ゲート７の設置駅と、改札ゲート７を通過した時刻とが記憶される。また、チャージ残高は、Ａ駅の改札ゲート７を通過して入場したときより、定期乗車区間Ｃ駅を越えてＥ駅までの間の運賃が減額される。
【００３７】
４．店舗への訪問
利用者Ｐは、その後店舗に行く。訪問した店舗にてクーポンを利用するため、利用者Ｐは、クーポンの有効時間内に行く。
図２（４）に示すように、利用者Ｐは、店舗端末５のＲ／Ｗ部５２にＩＣカード３を読み取らせる。そうすることで、ＩＣカード３の乗車情報（定期乗車区間、降車駅の情報）が通信ネットワークＮを介してサーバ１に送信される。サーバ１は、乗車情報からその店舗のクーポンの乗り越し条件を満たすか否かを判断する。また、サーバ１は、購買条件を満たしたか否かを判断する。購買条件は、例えば、操作者Ｓが購買金額を店舗端末５に入力することで、購買金額情報がサーバ１に送信されることで判断できる。
上述の条件に合致した場合には、利用者Ｐに特典が付与される。例えば、サーバ１は、決済口座情報に乗り越し精算した分の交通費を入金することができる。他には、サーバ１は、店舗側で条件に合致したか否かの情報を店舗端末５に送信する。そのようにすることで、店舗では、条件に合致したことを確認のうえ、現金で交通費を支払ってもよい。また、店舗では、交通費分を差し引いた形で金額を請求してもよい。
【００３８】
次に、定期乗車区間と乗り越し条件との関係について、図６に基づき説明する。図６は、本実施形態に係る路線図と店舗との位置関係を示す図である。
例えば、ユーザ名が「田中○男」でありユーザＩＤが「Ｕｓｅｒ００１」の利用者Ｐ１が、ＩＣカード３を利用して定期乗車区間の駅から最寄り駅が「Ｅ駅」の「店舗Ａ」を利用する場合を考える。図３により、利用者Ｐ１の定期乗車区間が「Ａ駅〜Ｃ駅」であるので、「店舗Ａ」に行くには、図６により２駅乗り越す必要がある。そして、「店舗Ａ」のクーポンＩＤが「Ｃｏｕｐｏｎ００１」のクーポンでの特典を得るための乗り越し条件は、図４により「定期乗車区間より２駅以内」である。利用者Ｐ１の定期乗車区間内である「Ｃ駅」から「店舗Ａ」の最寄り駅の「Ｅ駅」までは、２駅であるので、乗り越し条件を満たす。
【００３９】
別の例で、ユーザ名が「鈴木△太」でありユーザＩＤが「Ｕｓｅｒ００２」の利用者Ｐ２が、ＩＣカード３を利用して定期乗車区間の駅から最寄り駅が「Ｄ駅」の「店舗Ｂ」を利用する場合を考える。図３により、利用者Ｐ２の定期乗車区間が「Ｇ駅〜Ｈ駅」であるので、「店舗Ｂ」に行くには、定期乗車区間の「Ｃ駅」に行き、「Ｃ駅」で「Ｙ線」から「Ｘ線」に乗り換えてさらに１駅乗り越す必要がある。そして、「店舗Ｂ」のクーポンＩＤが「Ｃｏｕｐｏｎ００２」のクーポンでの特典を得るための乗り越し条件は、「Ｙ線を経由」と、「定期乗車区間より３駅以内」とである。利用者Ｐ２の定期乗車区間は「Ｙ線」であり、定期乗車区間内である「Ｃ駅」から「店舗Ｂ」の最寄り駅の「Ｄ駅」までは、１駅であるので、乗り越し条件を満たす。
【００４０】
また、別の例で、利用者Ｐ１がＩＣカード３を利用して定期乗車区間の駅から「店舗Ｂ」を利用する場合を考える。利用者Ｐ１は、Ｘ線のみの利用で１駅乗り越して「店舗Ｂ」に向かう。この場合、利用者Ｐ１は、Ｙ線を経由しない。よって、図４の「店舗Ｂ」のクーポンＩＤが「Ｃｏｕｐｏｎ００２」のクーポンは、Ｙ線を経由することが条件であるので利用できない。
【００４１】
次に、特典付与システム１００の処理の詳細について説明する。
最初に、利用者Ｐの事前登録について説明する。これは、上述した「１．事前登録（１）利用者登録」に該当するものである。図７は、本実施形態に係る会員情報登録処理のフローチャートである。
ステップＳ１０において、利用者ＰがＰＣ４のＲ／Ｗ部４２に、利用者ＰのＩＣカード３を近づける（タッチする）ことで、ＩＣカード３とＰＣ４との間で非接触通信が行われる。
ステップＳ１１において、ＰＣ４の制御部は、ＩＣカード３の定期情報記憶部３５ａに記憶された定期乗車区間等の会員登録に必要なユーザ情報を読み取る。
【００４２】
ステップＳ１２において、利用者ＰがＰＣ４の入力部を介して指示することで、ＰＣ４の制御部は、読み取ったユーザ情報をサーバ１に送信する。
ステップＳ１３において、サーバ１の制御部１０はユーザ情報を受信する。
ステップＳ１４において、制御部１０は、受信した情報を会員情報記憶部２１に記憶させる。その後、制御部１０は、本処理を終了する。
【００４３】
次に、店舗での事前登録について説明する。これは、上述した「１．事前登録（２）店舗登録」に該当するものである。図８は、本実施形態に係る店舗情報登録処理のフローチャートである。
ステップＳ２１において、操作者Ｓは、店舗端末５の入力部から店舗情報を入力することで、制御部５０は、店舗情報を受け付ける。
ステップＳ２２において、制御部５０は、受け付けた店舗情報をサーバ１に送信する。
ステップＳ２３において、サーバ１の制御部１０は、店舗情報を受信する。
ステップＳ２４において、制御部１０は、受信した店舗情報を店舗属性情報記憶部２３に記憶させる。
【００４４】
ステップＳ２５において、操作者Ｓは、店舗端末５の入力部からクーポン情報を入力することで、制御部５０は、クーポン情報を受け付ける。
ステップＳ２６において、制御部５０は、受け付けたクーポン情報をサーバ１に送信する。
ステップＳ２７において、サーバ１の制御部１０は、クーポン情報を受信する。
ステップＳ２８において、制御部１０は、受信したクーポン情報を特典情報記憶部２４に記憶させる。
【００４５】
ステップＳ２９において、情報提供部１１は、クーポン発行処理を行う。
クーポン発行処理は、特典情報記憶部２４に記憶されたクーポン有効期限を参照して有効な乗り越し条件を、会員情報記憶部２１に記憶された定期有効期限が到来していない利用者Ｐの定期乗車区間が満たした場合に、乗り越し条件に対応するクーポン情報を利用者Ｐが使用可能なクーポン情報として抽出する。
ステップＳ３０において、抽出したクーポン情報を、ユーザＩＤに対応付けて記憶部２０に記憶させる。その後、制御部１０は、本処理を終了する。
なお、ステップＳ２５のクーポン情報の入力以降の処理は、操作者Ｓによって随時行うことができる。
【００４６】
次に、利用者Ｐへのクーポン提供について説明する。これは、上述した「１．事前登録（３）クーポン情報の提供」に該当するものである。図９は、本実施形態に係るクーポン提供処理のフローチャートである。
ステップＳ３１において、ＰＣ４の制御部は、利用者Ｐがサーバ１に対してログインすることで、利用者ＰのユーザＩＤをサーバ１に対して送信する。
ステップＳ３２において、サーバ１の制御部１０は、記憶部２０に記憶させた使用可能なクーポン情報のうち、利用者Ｐに対応するクーポン情報を抽出する。
ステップＳ３３において、制御部１０は、抽出したクーポン情報をＰＣ４に送信する。その後、制御部１０は、本処理を終了する。
【００４７】
ステップＳ３４において、ＰＣ４の制御部は、クーポン情報を受信する。
ステップＳ３５において、ＰＣ４の制御部は、クーポン情報をＰＣ４の表示部に表示させる。
このようにすることで、利用者Ｐは、自身が使用可能なクーポンを簡単に知ることができる。
【００４８】
なお、この例では、クーポン情報を店舗端末５から受信した際に利用者Ｐが使用可能なクーポン情報を、サーバ１が抽出して予め記憶部２０に記憶しておき、利用者Ｐがログインした際に、記憶部２０から抽出するものとしている。しかし、予め記憶部２０に記憶せずに、利用者Ｐがログインした際に、利用者Ｐが使用可能なクーポン情報をサーバ１が抽出して送信してもよい。
【００４９】
次に、利用者ＰによるＩＣカード３を利用した改札ゲート７での処理について説明する。これは、利用者Ｐが上述した「２．予約」をした後に行われるものであって、上述した「３．降車」に該当するものである。図１０は、本実施形態に係る改札ゲート７処理のフローチャートである。なお、以下に説明するフローチャートは、利用者Ｐによる改札ゲート７への入場時及び退場時の処理についてである。
ステップＳ４１において、利用者Ｐが携行したＩＣカード３を改札ゲート７のＲ／Ｗ部７２（図１参照）に近づける（タッチする）ことで、ＩＣカード３と改札ゲート７との間で非接触通信が行われる。
ステップＳ４２において、改札ゲート７のゲート制御部７０は、ＩＣカード３を受け付けて、ＩＣカード３のカード記憶部３５の情報を読み取る。
【００５０】
ステップＳ４３において、ゲート制御部７０は、カード記憶部３５に記憶された最新の乗車情報を照会し、その内容からこの改札ゲート７の通過が退場時であるか否かを判断する。退場時である場合（ステップＳ４３：ＹＥＳ）には、ゲート制御部７０は、処理をステップＳ４４に移す。他方、退場時ではない場合（ステップＳ４３：ＮＯ）、つまり、入場時である場合には、ゲート制御部７０は、処理をステップＳ４５に処理を移す。
【００５１】
ステップＳ４４において、ゲート制御部７０は、乗り越し精算を行う。降車駅が定期乗車区間内ではない場合に、ゲート制御部７０は、定期乗車区間を外れて降車駅に至るまでの最短ルートの乗車運賃を算出し、ＩＣカード３から読み取ったチャージ額から乗車運賃を減額した最新のチャージ額を算出する。
ステップＳ４５において、ゲート制御部７０は、ゲート記憶部７５に記憶された改札ゲート７が設置されている駅名と、日時取得機能により取得した現在の日時である時刻とを出力する。なお、乗り越し精算をした場合には、算出したチャージ額もあわせて出力する。その後、ゲート制御部７０は、本処理を終了する。
【００５２】
ステップＳ４６において、ＩＣカード３のカード制御部３０は、Ｉ／Ｆ部３８を介して駅名及び時刻を受け付ける。チャージ額が出力された場合には、カード制御部３０は、チャージ額をあわせて受け付ける。
ステップＳ４７において、カード制御部３０は、受け付けた駅名及び時刻を、カード記憶部３５に記憶させる。また、チャージ額がある場合には、カード制御部３０は、チャージ額をカード記憶部３５の所定の位置に記憶させる。その後、カード制御部３０は、本処理を終了する。
【００５３】
次に、利用者Ｐが店舗を利用した場合の処理について説明する。これは、上述した「４．店舗への訪問」に該当するものである。図１１及び図１２は、本実施形態に係る店舗での処理のフローチャートである。
図１１のステップＳ５１において、利用者Ｐが携行したＩＣカード３を店舗端末５のＲ／Ｗ部５２（図１参照）に近づける（タッチする）ことで、ＩＣカード３と店舗端末５との間で非接触通信が行われる。
ステップＳ５２において、店舗端末５の制御部５０は、ＩＣカード３を受け付けて、ＩＣカード３のカード記憶部３５の情報を読み取る。
ステップＳ５３において、制御部５０は、カード記憶部３５に記憶された情報をサーバ１に送信する。
【００５４】
ステップＳ５４において、サーバ１の制御部１０は、カード記憶部３５に記憶された情報を受信する。
ステップＳ５５において、乗り越し条件部１５は、ＩＣカード３を保有する利用者によって予約がされているか否かを判断する。利用者の特定は、受信した情報のユーザ名により行うことができる。また、予約がされているか否かは、予約記憶部２７を参照して、当該店舗の予約に該当のユーザ名が存在するか否かにより判断できる。予約がされている場合（ステップＳ５５：ＹＥＳ）には、制御部１０は、処理をステップＳ５６に移す。他方、予約がされていない場合（ステップＳ５５：ＮＯ）には、特典を付与しないので、処理を図１２のステップＳ６４に移す。
【００５５】
ステップＳ５６において、乗り越し条件部１５は、受信した情報から乗り越し条件を満たすか否かを判断する。乗り越し条件を満たすか否かは、有効な定期乗車区間、最新の降車駅の情報を、特典情報記憶部２４に記憶されたクーポンの乗り越し条件が満たすか否かにより判断できる。乗り越し条件を満たした場合（ステップＳ５６：ＹＥＳ）には、制御部１０は、処理をステップＳ５７に移す。他方、乗り越し条件を満たさない場合（ステップＳ５６：ＮＯ）には、制御部１０は、処理を図１２のステップＳ６４に移す。なお、該当するクーポンが複数存在する場合には、各クーポンについて乗り越し条件を満たすか否かを判断し、１つでも条件を満たす場合には、乗り越し条件を満たすものとして処理を行う。
【００５６】
ステップＳ５７において、制御部１０は、購買条件を満たすか否かの判断として、購買金額要求を店舗端末５に対して送信する。
ステップＳ５８において、制御部５０は、購買金額要求を受信する。
ステップＳ５９において、制御部５０は、入力部から入力された購買金額をサーバ１に対して送信する。
【００５７】
ステップＳ６０において、制御部１０は、購買金額を受信する。
ステップＳ６１において、購買条件部１６は、該当のクーポンの購買条件を満たすか否かを判断する。購買条件を満たす場合（ステップＳ６１：ＹＥＳ）には、制御部１０は、処理を図１２のステップＳ６２に移す。他方、購買条件を満たさない場合（ステップＳ６１：ＮＯ）には、制御部１０は、処理を図１２のステップＳ６４に移す。
【００５８】
図１２のステップＳ６２において、特典付与部１７は、特典付与条件を満たすか否かを判断する。特典付与条件は、ここでは、現在の日時と、降車駅での降車日時との差が、クーポン有効時間内であることである。特典付与条件を満たす場合（ステップＳ６２：ＹＥＳ）には、制御部１０は、処理をステップＳ６３に移す。他方、特典付与条件を満たさない場合（ステップＳ６２：ＮＯ）には、制御部１０は、処理をステップＳ６４に移す。
ステップＳ６３において、制御部１０は、条件に合致した特典付与情報を、特典情報記憶部２４から抽出する。なお、特典付与情報がポイントの付与である場合には、制御部１０は、会員情報記憶部２１のユーザＩＤに対応するポイント情報に、特典付与情報のポイントを加算する。このポイントは、一定値以上になることで、別の特典を付与することができる。
【００５９】
ステップＳ６４において、制御部１０は、店舗端末５に対して処理結果情報を送信する。ステップＳ６３で特典付与情報を抽出した場合には、制御部１０は、特典付与情報を送信する。それ以外の場合には、制御部１０は、付与する特典がない旨を送信する。その後、制御部１０は、本処理を終了する。
ステップＳ６５において、制御部５０は、サーバ１から処理結果情報を受信する。制御部５０は、処理結果情報として、特典の付与条件を満たす場合には、特典付与情報を、特典の付与条件を満たさない場合には、付与する特典がない旨の情報を受信する。その後、制御部５０は、本処理を終了する。
【００６０】
なお、制御部５０は、処理結果情報を店舗端末５の表示部に出力することで、操作者Ｓは、その情報に応じた対応を行うことができる。特典付与情報である場合には、操作者Ｓは、その特典に応じた処理を行う。具体的には、店舗端末５からの入金の指示により、サーバ１が決済口座情報に乗り越し精算した分の交通費を入金してもよいし、店舗側で条件に合致したことを確認のうえ、現金で支払ってもよい。また、店舗で利用者Ｐに乗り越し料金を差し引いた形で金額を請求してもよい。
【００６１】
このように、本実施形態によれば、以下のような効果がある。
（１）サーバ１は、定期乗車情報を有するＩＣカード３によって、電車等の乗り越し条件を満たしかつ購買条件を満たした場合に、所定の特典を付与するので、利用者Ｐが通常使用する定期乗車区間から外れて乗り越した場合に、所定の特典を付与することができる。
また、店舗での購買条件を満たした場合に、所定の特典を付与するので、利用者Ｐにとって特典を受け取れるという利点がある。
さらに、定期乗車情報を有するＩＣカード３を使用して、利用者Ｐが一度も行ったことがない店舗に寄り道をするように訪れる動機付けとなり、利用者Ｐを通常の移動範囲を越えて新たな店舗へと向かわせる動機付けができる。
【００６２】
（２）所定の特典を定期乗車区間外の、実際に支払った乗車運賃の少なくとも一部とすることで、定期乗車情報を有するＩＣカード３を携行する利用者Ｐに、例えば、通常の移動範囲を越えて新たな店舗へと向かわせる動機付けができる。他方、店舗側は、乗車運賃を支払うことで利用者Ｐのリピート効果を期待できる。
（３）乗り越し条件として、降車駅が、定期乗車区間の路線にその定期乗車区間内で接続する異なる路線の降車駅とすることにより、定期乗車区間の路線とは異なる路線を使用して、電車等を乗り換えまでしてわざわざ店舗に行った利用者Ｐに特典を付与することができる。
【００６３】
（４）降車駅のゲート通過日時から所定の時間以内である場合に、所定の特典を付与するので、その店舗に行くことを目的として電車等を乗り越して、寄り道をせずに直接店舗に赴いた利用者Ｐに対して、特典を付与できる。よって、真に店舗に行くために乗り越した利用者Ｐに対して特典を付与できる。
（５）予め店舗に対して予約してから店舗に赴いた利用者Ｐに対して特典を付与する。よって、店舗側では、事前に利用者Ｐが訪れることを把握ができるので、例えば、特に飲食店等では、予約席を設けることができる。そして、利用者Ｐは、特典を受けられるだけではなく、利便性がよい。
【００６４】
（６）会員情報記憶部２１にユーザ情報を予め記憶しておくことで、特典情報記憶部２４に記憶された店舗側での乗り越し条件と照合して、照合結果に応じて特典付与条件を利用者Ｐに提供するので、利用者Ｐに、店舗の特典に関する情報を提供でき、利用者Ｐが店舗に行く動機付けになりうる。
（７）定期乗車情報を有するＩＣカード３に記憶された乗車情報をサーバ１に送信することで、サーバ１が種々の処理を行うことができる。よって、店舗端末５での処理を軽減できる。
【００６５】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００６６】
（変形形態）
（１）本実施形態では、利用者が携行する定期乗車情報を有するものとして、ＩＣカードを例に説明したが、ＩＣチップを搭載した携帯電話機等の携帯情報端末であってもよい。
（２）本実施形態では、利用者やサービス提供者が事前作業を行う際に、ＰＣを利用するものとして説明したが、携帯電話機やＰＤＡ（Ｐｅｒｓｏｎａｌ  Ｄｉｇｉｔａｌ  Ａｓｓｉｓｔａｎｔｓ）等の携帯情報端末であってもよい。
（３）本実施形態では、利用者が店舗に対して事前に予約をした場合に、特典を受けられるものであったが、予約しなくても特典を受けられるようにしてもよい。
【００６７】
（４）本実施形態では、ＩＣカードに決済口座情報を有するものとして説明したが、決済口座情報を有することは必須の要件ではない。店舗にてサービス提供者が利用者に決済口座を聞いて、その口座に特典を振り込んでもよいし、直接現金にて処理してもよい。
（５）本実施形態では、ＩＣカードには最新の乗車情報が記憶されるものとして説明したが、ＩＣカードには、所定分の乗車履歴を記憶しておき、最新の乗車情報を確認してもよい。
（６）本実施形態では、店舗端末側で購買金額を入力することで、サーバが購買条件を満たすか否かを判断していたが、サーバに対して購買条件を満たすか否かのフラグを店舗側で入力するものであってもよい。
（７）本実施形態では、クーポン情報の提供に関して、定期乗車情報に基づき決定していたが、さらに、性別や年齢等の利用者の属性情報であって、定期乗車情報に含まれる情報で絞り込みをかけたり、情報を提供する範囲を広げてもよい。
【００６８】
（８）本実施形態では、電車を例に説明したが、ＩＣカードを利用して少なくとも乗車又は降車するような交通手段であれば、どのようなものであっても利用できる。例えば、店舗が鉄道の最寄り駅からバスを利用した場所にある場合でも利用できる。その場合は、店舗端末でＩＣカードを読み取ることで、定期乗車区間を越えてバスに乗車した情報を取得できる。そして、特典としてバスの運賃を付与してもよい。
（９）本実施形態では、改札ゲートは、サーバと通信ネットワークによって接続されていないものとして説明したが、改札ゲートが通信ネットワークを介してサーバと接続していてもよい。そのようにすることで、改札ゲートは、改札ゲートを通過した利用者を識別して、その情報を店舗端末に送信でき、店舗端末に、利用者が最寄り駅を降車した情報等を提供できる。
（１０）本実施形態では、利用者登録に関して、ＩＣカードの情報を読み取ることで、読み取った情報を用いるものとして説明したが、利用者がＰＣの入力部から手入力でそれらの情報を入力してもよい。
【００６９】
（１１）本実施形態では、ＩＣカードを用いて非接触式の通信を行うものとして説明したが、それに限定されない。例えば、ＩＣカードを用いて接触式の通信を行うものでもよい。
（１２）本実施形態では、店舗端末からＩＣカードの情報をサーバに送信することで、サーバが乗り越し条件、購買条件、特典付与条件を満たすか否かを判定するものとして説明したが、サーバの記憶部に有する判断に必要な情報を店舗端末側で有し、条件の判断の少なくとも一部を店舗端末側で行ってもよい。
（１３）本実施形態では、１つの店舗のみでクーポンの条件を満たせば特典を付与する例を示したが、これに限定されない。最寄り駅が同じである近隣の複数の店舗を利用しなければならないことを条件として、特典を付与するようにしてもよい。また、最寄り駅が同じである近隣の複数の店舗を利用した場合に、更に高い特典を付与するようにしてもよい。これらは、例えば、ＩＣカード又はサーバの記憶部に、店舗の利用履歴を記憶することで実現できる。このように、近隣店舗が連携することで、近隣店舗に利用者が訪れるように促して、その地域の活性化を促すことができる。
【符号の説明】
【００７０】
１      サーバ
３      ＩＣカード
４      ＰＣ
５      店舗端末
７      改札ゲート
１０，５０  制御部
１１    情報提供部
１２    予定受付部
１３    予約確認部
１５    乗り越し条件部
１６    購買条件部
１７    特典付与部
２０，５５  記憶部
２１    会員情報記憶部
２５    店舗情報記憶部
２７    予約記憶部
３０    カード制御部
３５    カード記憶部
３５ａ  定期情報記憶部
４２，５２，７２  Ｒ／Ｗ部
５０，２５０  ゲート制御部
５２    Ｒ／Ｗ部
７０    ゲート制御部
７５    ゲート記憶部
１００  特典付与システム
Ｎ      通信ネットワーク
Ｐ      利用者
Ｓ      操作者
【図１】
2013149017.tif 000003
【図２】
2013149017.tif 000004
【図３】
2013149017.tif 000005
【図４】
2013149017.tif 000006
【図５】
2013149017.tif 000007
【図６】
2013149017.tif 000008
【図７】
2013149017.tif 000009
【図８】
2013149017.tif 000010
【図９】
2013149017.tif 000011
【図１０】
2013149017.tif 000012
【図１１】
2013149017.tif 000013
【図１２】
2013149017.tif 000014